(57)【要約】【課題】キャップの開栓後にリングが呑口部の凹溝に残る飲料容器において、残ったリングを容易に除去することができる飲料容器の提供。【解決手段】飲料容器Ａは、上部外周に雄ねじｎを形成し下部外周に上、下フランジ１５、１６により凹溝１４を形成した呑口部１１の基端に胴部１３を連結した容器本体１と、雄ねじｎと螺合する雌ねじを内周に形成した主部２１、上内方へ突出する突出片を等間隔で４個周設した裾部２２を有するキャップ２とにより構成され、雄ねじｎのねじ方向と逆向きの切欠ｐを上フランジ１５に４個設けている。凹溝１４内に残ったリング２５を反開栓方向へ廻すと、各突出片が同時に各切欠ｐにより案内されるため凹溝１４から抜くことができる。【選択図】図３
0003175980.tif 000002
【実用新案登録請求の範囲】
【請求項１】
上部外周に雄ねじが形成され下部外周に上・下フランジにより凹溝が形成される円筒状の呑口部、および該呑口部の基端に連結される胴部からなる容器本体と、
前記雄ねじと螺合する雌ねじを内周に形成した主部、開栓時に破断して前記凹溝内にリングとして残る裾部からなるキャップとを備えた飲料容器において、
前記キャップの前記裾部に、開口側縁から上内方へ突出する突出片を複数個、等間隔に周設するとともに、
前記雄ねじのねじ方向と逆向きの切欠を、前記突出片の周設数と同数だけ前記呑口部の上フランジに設けたことを特徴とする飲料容器。
【考案の詳細な説明】
【技術分野】
【０００１】
本考案は、キャップの開栓後に開栓確認リングが残る飲料容器に関する。
【背景技術】
【０００２】
ペットボトル等の飲料容器は、悪用防止の構造を採用しているため、キャップを開栓すると、キャップの下端がねじ切られて開栓確認リングとして残ってしまう。
開栓確認リングを含むキャップと飲料容器本体とは、別材料であるため、使用済み飲料容器をリサイクルする際に、残っている開栓確認リングをニッパ等で切り取る作業が必要になる。
消費者一人一人が、飲んだ後のことは、「私には関係ない」でなく、飲んだ後のリサイクルのことを考えて、飲料容器本体と異質のキャップとを分別する心遣いが当然である。  
【０００３】
特許文献１には、キャップのリング部分の一カ所に切り割り部を設ける飲料容器用のキャップが開示されている。これにより、開栓後に残った開栓確認リングを、指先で簡単に取り除くことができる。  
また、特許文献２には、キャップとキャップ下部のリングとをブリッジでつなぎ、キャップ開封時にリングも外すことができるキャップが開示されている。
【先行技術文献】
【特許文献】
【０００４】
【特許文献１】特開２００６−１７６２０４号公報
【特許文献２】特開２００２−２７４５５２号公報
【考案の概要】
【考案が解決しようとする課題】
【０００５】
上記特許文献１において、リングの切り割り部を開く際に指先に刺さって怪我をするおそれがあるとともに、飲口からリングを除去しないで中身を飲もうとすると口内でリングが外れてしまうという課題がある。
上記特許文献２は、キャップの構造が複雑であるという課題がある。
【０００６】
本考案の目的は、キャップの開栓後にリングが呑口部の凹溝に残る飲料容器において、残ったリングを容易に除去することができる飲料容器の提供にある。
【課題を解決するための手段】
【０００７】
（請求項１について）
飲料容器は、円筒状の呑口部および呑口部の基端に連結される胴部からなる容器本体と、主部および裾部からなるキャップとを備える。
【０００８】
容器本体の呑口部は、雄ねじが上部外周に形成され、凹溝が下部外周に上・下フランジにより形成される。
【０００９】
キャップの主部の内周には、呑口部の雄ねじと螺合する雌ねじが形成されている。
キャップの裾部には、開口側縁から上内方へ突出する突出片が複数個、等間隔に周設されている。また、雄ねじのねじ方向と逆向きの切欠を、突出片の周設数と同数だけ呑口部の上フランジに設けている。
【００１０】
飲料容器の工場出荷時には、容器本体の胴部内に飲料水が封入され、呑口部にキャップが螺着されている。
飲料水を飲む際にキャップを開栓方向に廻すと（キャップ開栓時）、ねじの作用でキャップが上昇していくが、直ぐに裾部の突出片が上フランジに阻止されるため裾部の上昇が止まり主部だけが上昇していく。このため、裾部が主部から破断して凹溝内にリングとして残る。
【００１１】
キャップが開栓する方向と逆の反開栓方向へリングを廻すと、各突出片が同時に各切欠により案内されるため、リングが凹溝内から抜け、呑口部から外すことができる。
よって、飲料容器は、キャップの開栓後に呑口部の凹溝に残ったリングを容易に除去することができる。
【００１２】
なお、上フランジの切欠が雄ねじのねじ方向と逆向きでないと、キャップを開栓方向に廻した際（キャップ開栓時）、裾部の突出片が上フランジに阻止されにくくなるため、裾部が主部から破断されないおそれが生じる。
【図面の簡単な説明】
【００１３】
【図１】（ａ）は（ｂ）のｘ−ｘ’線断面図であり、（ｂ）は本考案の実施例１に係る飲料容器の容器本体の側面図である。
【図２】（ａ）は実施例１の飲料容器のキャップの側面図であり、（ｂ）は実施例１の飲料容器のキャップの下面図である。
【図３】（ａ）は実施例１の飲料容器からキャップを開栓する状態を示す説明図であり、（ｂ）はキャップの開栓後にリングが呑口部の凹溝に残った状態を示す説明図であり、（ｃ）は凹溝に残ったリングを外すところを示す説明図である。
【図４】（ａ）は（ｂ）のｙ−ｙ’線断面図であり、（ｂ）は本考案の実施例２に係る飲料容器の容器本体の側面図である。
【図５】（ａ）実施例２の飲料容器のキャップの側面図であり、（ｂ）は実施例２の飲料容器のキャップの下面図である。
【考案を実施するための形態】
【００１４】
飲料容器は、上部外周に雄ねじを形成し下部外周に上・下フランジにより凹溝を形成した円筒状の呑口部の基端に胴部を連結した容器本体と、呑口部の雄ねじと螺合する雌ねじを内周に形成した主部、開口側縁から上内方へ突出する突出片を複数個、等間隔に周設した裾部を有するキャップとにより構成され、雄ねじのねじ方向と逆向きの切欠を、突出片の周設数と同数だけ呑口部の上フランジに設けている。
【００１５】
凹溝内に残ったリングを、キャップが開栓する方向と逆の反開栓方向へ廻すと、各突出片が同時に各切欠により案内されるため、リングが凹溝内から抜け、呑口部から容易に外すことができる。
【実施例１】
【００１６】
本考案の実施例１に係る飲料容器Ａを、図１〜図３に基づいて説明する。
飲料容器Ａは、円筒状の呑口部１１およびこの呑口部１１の基端１２に連結される径大の胴部１３からなる容器本体１と、主部２１および裾部２２からなるキャップ２とを備える。
【００１７】
容器本体１の呑口部１１は、雄ねじｎが上部外周に形成され、上フランジ１５および下フランジ１６により凹溝１４が下部外周に形成されている。
容器本体１の胴部１３には飲料水が封入され、商品名を示すラベルが外周に貼着されている。
【００１８】
キャップ２の主部２１の内周には、呑口部１１の雄ねじｎと螺合する雌ねじｍが形成されている。
キャップ２の裾部２２には、開口側縁２３から上内方へ突出する突出片２４が９０度の間隔で４個周設されている。
また、雄ねじｎのねじ方向と逆向きの切欠ｐが、突出片２４の周設数（４個）と同数（４個）、呑口部１１の上フランジ１５に設けられている（９０度間隔）。
【００１９】
この飲料容器Ａは、容器本体１の胴部１３内に飲料水を封入し、呑口部１１にキャップ２を螺着して、製造工場から小売店等へ出荷される。
【００２０】
飲料容器Ａを買った消費者がキャップ２を開栓方向に廻す｛図３の（ａ）の矢印方向｝と、ねじの作用でキャップ２が上昇していくが、直ぐに裾部２２の突出片２４が上フランジ１５に阻止されるため、裾部２２の上昇が止まって主部２１だけが上昇していく。このため、裾部２２が主部２１から破断して凹溝１４内にリング２５として残る｛図３の（ｂ）｝。
【００２１】
しかし、キャップ２が開栓する方向と逆の反開栓方向へリング２５を廻す｛図３の（ｃ）の矢印方向｝と、各突出片２４が同時に各切欠ｐにより案内されるため、リング２５が凹溝１４内から抜け、呑口部１１から外すことができる。
よって、飲料容器Ａは、キャップ２の開栓後に呑口部１１の凹溝１４に残ったリング２５を容易に除去することができる。
【００２２】
なお、上フランジ１５の切欠ｐが雄ねじｎのねじ方向と逆向きでないと、キャップ２を開栓方向に廻した際（キャップ開栓時）、裾部２２の突出片２４が上フランジ１５に阻止されにくくなるため、裾部２２が主部２１から破断されないおそれが生じる。
【実施例２】
【００２３】
本考案の実施例２に係る飲料容器Ｂを、図４および図５に基づいて説明する。
飲料容器Ｂは、以下の点が飲料容器Ａと異なる。
飲料容器Ｂのキャップ２の裾部２２には、開口側縁２３から上内方へ突出する突出片２６が１２０度の間隔で３個周設されている。
また、雄ねじｎのねじ方向と逆向きの切欠ｑが、突出片２６の周設数（３個）と同数（３個）、呑口部１１の上フランジ１５に設けられている（１２０度間隔）。
【００２４】
この飲料容器Ｂは、飲料容器Ａと同様、容器本体１の胴部１３内に飲料水を封入し、呑口部１１にキャップ２を螺着して、製造工場から小売店等へ出荷される。
【００２５】
飲料容器Ｂを買った消費者がキャップ２を開栓方向に廻すと、ねじの作用でキャップ２が上昇していくが、直ぐに裾部２２の突出片２６が上フランジ１５に阻止されるため、裾部２２の上昇が止まって主部２１だけが上昇していく。このため、裾部２２が主部２１から破断して凹溝１４内にリングとして残る。
【００２６】
しかし、キャップ２が開栓する方向と逆の反開栓方向へリング２５を廻すと、各突出片２６が同時に各切欠ｑにより案内されるため、リングが凹溝１４内から抜け、呑口部１１から外すことができる。
このため、飲料容器Ｂは、キャップ２の開栓後に呑口部１１の凹溝１４に残ったリングを容易に除去することができる。
【００２７】
なお、上フランジ１５の切欠ｑが雄ねじｎのねじ方向と逆向きでないと、キャップ２を開栓方向に廻した際（キャップ開栓時）、裾部２２の突出片２４が上フランジ１５に阻止されにくくなるため、裾部２２が主部２１から破断されないおそれが生じる。
【符号の説明】
【００２８】
Ａ、Ｂ    飲料容器
１    容器本体
２    キャップ
１１    呑口部
１２    基端
１３    胴部
１４    凹溝
１５    上フランジ
１６    下フランジ
２１    主部
２２    裾部
２４、２６    突出片
２５    リング
ｍ    雌ねじ
ｎ    雄ねじ
ｐ、ｑ    切欠
【図１】
0003175980.tif 000003
【図２】
0003175980.tif 000004
【図３】
0003175980.tif 000005
【図４】
0003175980.tif 000006
【図５】
0003175980.tif 000007